(57)【要約】【課題】支持ブラケットに配置された他の部材に干渉しないように回動付勢手段を配置することができる折り畳みテーブルを提供すること。【解決手段】支持ブラケット４には、脚体３に係合して天板２を使用位置または折り畳み位置に保持する係合手段４３が収容される収容空間２４が形成されており、脚体３の上部の側面には、天板２が使用位置または折り畳み位置にあるときに、係合手段４３が係合する被係合部５８，５９がそれぞれ設けられ、前記支持ブラケットには、被係合部５８，５９の近傍の空間を左右方向に仕切る仕切壁３４が設けられ、仕切壁３４の一方の側方には、被係合部５８，５９が配置されるとともに、仕切壁３４の他方の側方には、折り畳み位置に向けて支持ブラケット４を回動させる方向に付勢する回動付勢手段６２が配置される。【選択図】図６
2010136995.tif 000002
【特許請求の範囲】
【請求項１】
天板と、該天板の左右端部に取り付けられる支持ブラケットと、該支持ブラケットを介して前記天板を支持する脚体と、を備え、前記支持ブラケットは、前記天板を略水平をなす使用位置と、略垂直をなす折り畳み位置と、の間で回動可能に枢支した折り畳みテーブルであって、
前記支持ブラケットには、前記脚体に係合して前記天板を前記使用位置または前記折り畳み位置に保持する係合手段が収容される収容空間が形成されており、前記脚体の上部の側面には、前記天板が前記使用位置または前記折り畳み位置にあるときに、前記係合手段が係合する被係合部がそれぞれ設けられ、前記支持ブラケットには、前記被係合部の近傍の空間を左右方向に仕切る仕切壁が設けられ、該仕切壁の一方の側方には、前記被係合部が配置されるとともに、該仕切壁の他方の側方には、前記折り畳み位置に向けて前記支持ブラケットを回動させる方向に付勢する回動付勢手段が配置されることを特徴とする折り畳みテーブル。
【請求項２】
前記支持ブラケットは、該支持ブラケットの下部を閉塞する閉塞板と、該閉塞板の少なくとも左右端部から延設される壁部と、によって断面視で上向きコ字状に形成され、前記壁部間は、前記収容空間となっており、該収容空間の下部に、前記仕切壁を設けることを特徴とする請求項１に記載の折り畳みテーブル。
【請求項３】
前記回動付勢手段が配置される回動付勢手段配置部は、前記支持ブラケットの外側方に向かって開口できるようになっていることを特徴とする請求項１または２に記載の折り畳みテーブル。
【請求項４】
前記支持ブラケットは、前記仕切壁を介して前記脚体に枢支され、前記回動付勢手段の一端は、前記仕切壁に形成された長孔を介して前記脚体に対して取り付けられるとともに、前記回動付勢手段の他端は、前記支持ブラケットに対して取り付けられることを特徴とする請求項１ないし３のいずれかに記載の折り畳みテーブル。
【発明の詳細な説明】
【技術分野】
【０００１】
本発明は、天板を、略水平をなす使用位置と、略垂直をなす折り畳み位置と、の間で回動可能に枢支した折り畳みテーブルに関する。
【背景技術】
【０００２】
従来、天板と、左右一対の脚体と、脚体の上端部で前後方向に回動可能に枢支されて天板の左右端部に取り付けられるブラケット（支持ブラケット）と、を備え、天板を水平をなす使用位置と、脚体の後側で起立する折り畳み位置との間で回動可能としている折り畳みテーブルがあり、脚体におけるブラケットを枢支する枢軸よりも下方には、支持アームの一端が前後方向に回動可能に枢支されるとともに、ブラケットの枢軸よりも前方位置には、ガイド孔が設けられ、このガイド孔には支持アームの他端が前後方向に移動可能に係合され、天板が水平位置に配置されている際には、支持アームがガイド孔内で前後方向の回動が制限されることで天板の折り畳み位置への回動が規制されると同時に支持アームが天板を下方から支持するようになっている。このような折り畳みテーブルにおいては、支持ブラケットの後部と、天板との間には支持ブラケットを背面側に向けて付勢する引張りばね（回動付勢手段）が設けられており、折り畳み位置に配置された天板を、引張りばねが保持するようにしている（例えば、特許文献１参照）。
【０００３】
【特許文献１】特開２００４−１５９７０６号公報（第５頁、第４図）
【発明の開示】
【発明が解決しようとする課題】
【０００４】
しかしながら、特許文献１に記載の折り畳みテーブルにあっては、引張りばね（回動付勢手段）とブラケット（支持ブラケット）とが近接して配置されているために、引張りばねとブラケットが互いに干渉してしまう虞がある。
【０００５】
本発明は、このような問題点に着目してなされたもので、支持ブラケットに配置された他の部材に干渉しないように回動付勢手段を配置することができる折り畳みテーブルを提供することを目的とする。
【課題を解決するための手段】
【０００６】
前記課題を解決するために、本発明の請求項１に記載の折り畳みテーブルは、
天板と、該天板の左右端部に取り付けられる支持ブラケットと、該支持ブラケットを介して前記天板を支持する脚体と、を備え、前記支持ブラケットは、前記天板を略水平をなす使用位置と、略垂直をなす折り畳み位置と、の間で回動可能に枢支した折り畳みテーブルであって、
前記支持ブラケットには、前記脚体に係合して前記天板を前記使用位置または前記折り畳み位置に保持する係合手段が収容される収容空間が形成されており、前記脚体の上部の側面には、前記天板が前記使用位置または前記折り畳み位置にあるときに、前記係合手段が係合する被係合部がそれぞれ設けられ、前記支持ブラケットには、前記被係合部の近傍の空間を左右方向に仕切る仕切壁が設けられ、該仕切壁の一方の側方には、前記被係合部が配置されるとともに、該仕切壁の他方の側方には、前記折り畳み位置に向けて前記支持ブラケットを回動させる方向に付勢する回動付勢手段が配置されることを特徴としている。
この特徴によれば、天板を使用位置から折り畳み位置に切り換える際には、回動付勢手段の付勢力によって切り換えが容易となるばかりか、天板を折り畳み位置から使用位置に切り換える際には、天板に折り畳み位置方向の付勢力が加わるので、天板の使用位置への急激な回動を防ぐことができ、かつ仕切壁により回動付勢手段と被係支部とを左右方に隔てることができ、回動付勢手段と被係支部とが互いに干渉することなく、正常な動作を保証することができる。
【０００７】
本発明の請求項２に記載の折り畳みテーブルは、請求項１に記載の折り畳みテーブルであって、
前記支持ブラケットは、該支持ブラケットの下部を閉塞する閉塞板と、該閉塞板の少なくとも左右端部から延設される壁部と、によって断面視で上向きコ字状に形成され、前記壁部間は、前記収容空間となっており、該収容空間の下部に、前記仕切壁を設けることを特徴としている。
この特徴によれば、支持ブラケットの上部には、係合手段が配置され、支持ブラケットの下部には、被係合部と回動付勢手段とが配置されて、係合手段と被係合部及び回動付勢手段とを隔てることができ、各部材が互いに干渉することなく、正常な動作を保証することができる。
【０００８】
本発明の請求項３に記載の折り畳みテーブルは、請求項１または２に記載の折り畳みテーブルであって、
前記回動付勢手段が配置される回動付勢手段配置部は、前記支持ブラケットの外側方に向かって開口できるようになっていることを特徴としている。
この特徴によれば、支持ブラケットの外側方から回動付勢手段配置部内の回動付勢手段のメンテナンス等を行うことができ、回動付勢手段の取付作業や取外作業を容易に行えるようになる。
【０００９】
本発明の請求項４に記載の折り畳みテーブルは、請求項１ないし３のいずれかに記載の折り畳みテーブルであって、
前記支持ブラケットは、前記仕切壁を介して前記脚体に枢支され、前記回動付勢手段の一端は、前記仕切壁に形成された長孔を介して前記脚体に対して取り付けられるとともに、前記回動付勢手段の他端は、前記支持ブラケットに対して取り付けられることを特徴としている。
この特徴によれば、支持ブラケットが脚体に枢支されて回動されることを妨げることなく回動付勢手段によって支持ブラケットを付勢することができる。
【発明を実施するための最良の形態】
【００１０】
本発明に係る折り畳みテーブルを実施するための最良の形態を実施例に基づいて以下に説明する。
【実施例】
【００１１】
本発明の実施例を図面に基づいて説明すると、先ず図１は、本発明の実施例における折り畳みテーブルの全体像を示す斜視図であり、図２は、折り畳みテーブルの折り畳み位置を示す側面図であり、図３は、折り畳みテーブルの使用位置を示す側面図であり、図４は、天板支持ブラケットの内側面を示す斜視図であり、図５は、天板支持ブラケットを示す組立平面図であり、図６は、図５における折り畳みテーブルのＡ−Ａ断面図であり、図７は、図５における折り畳みテーブルのＢ−Ｂ断面図であり、図８は、図７における折り畳みテーブルのＣ−Ｃ断面図であり、図９は、図７における折り畳みテーブルのＤ−Ｄ断面図であり、図１０は、折り畳みテーブルの折り畳み位置を示すＤ−Ｄ断面図である。以下、図２、図３および図８、図９、図１０の紙面左側を折り畳みテーブルの正面側とし、図５の紙面下方側を折り畳みテーブルの正面側（前方側）とし、図６、図７の紙面奥側を折り畳みテーブルの正面側（前方側）として説明する。
【００１２】
図１の符号１は、本発明の適用された折り畳みテーブルである。この折り畳みテーブル１は、図１から図３に示すように、天板２と、天板２の下方の左右端に配置されて前後方向に延びる天板支持ブラケット４と、天板支持ブラケット４の下方に配置されて天板２を下方から支持するための一対の脚体３と、を有している。これら脚体３の上部には、天板支持ブラケット４を枢支するための回動支持部材５０と、脚体３の下部には、前後方向に延びる基部ブラケット５と、を有している。これら回動支持部材５０と基部ブラケット５とは、上下方向に延びる柱体６を介して互いに接続されている。
【００１３】
図３及び図５に示すように、両天板支持ブラケット４の前部には、荷受板９が取り付けられている。この荷受板９と天板２と両天板支持ブラケット４とによって、天板２の下方で正面側に開口する収納空間１０を形成しており、折り畳みテーブル１の使用者は、この収納空間１０内に鞄等の荷物を収納可能となっている。
【００１４】
また、天板２の下面における、天板支持ブラケット４の後部近傍には、配線ダクト支持ブラケット１８を介して配線ダクト１１が取り付けられている。この配線ダクト１１は、天板２上でノートＰＣ等の端末機器１２等を使用する際に、図示しない電源に接続された電源タップ１３等を内部に載置可能となっている。天板２上の端末機器１２は、配線ダクト１１上に挿通させた電源コード１４を電源タップ１３に接続させることにより電力を得るようになっている。
【００１５】
更に、配線ダクト１１の背面側には、脚体３の背面側を覆う幕板１５が設けられている。この幕板１５の正面側における下部の左右には、下部リンク部材１７が取り付けられている。この下部リンク部材１７は、一端を幕板１５側に枢支されて前後方向に回動可能となっている棒材であり、他端を柱体６の内側に前後方向に回動可能に枢支されている。幕板１５の正面側における上部の左右には、上部リンク部材１９が取り付けられている。この上部リンク部材１９は、一端を幕板１５側に枢支されて前後方向に回動可能となっている棒材であり、他端を天板２の下面から背面側に向けて延設された側面視略Ｌ字形状をなす吊り材１６の後端部に回動可能に枢支されている。
【００１６】
このため、幕板１５は上下方向に揺動可能となっており、床面に対して略垂直をなして天板２との間の上下寸法がＬ１となる上方位置と、上方位置から下方位置に揺動されて天板２との間の上下寸法がＬ１よりも大きくなるＬ２（Ｌ２＞Ｌ１）となる下方位置と、で切り換え可能となっている。つまり幕板１５が上方位置にあるときには、幕板１５と天板２との間が狭くなり、幕板１５が下方位置にあるときには、幕板１５と天板２との間が広くなる。
【００１７】
この幕板１５を下方位置とすることで、使用者は天板２と幕板１５との間から手を入れて、配線ダクト１１上の電源タップ１３に天板２上に載置された端末機器１２の電源コード１４を接続する等の配線作業が容易に行えるようになっている。
【００１８】
天板支持ブラケット４は、天板２を略水平をなす使用位置（図３参照）と、天板２が脚体３の後方で上面を背面側に向けて略垂直をなす折り畳み位置（図２参照）と、の間で回動可能としている。また、天板支持ブラケット４の外側には、折り畳みテーブル１を使用位置と、折り畳み位置と、で切り換えるための操作レバー７が取り付けられている。
【００１９】
このため、使用者は、操作レバー７を操作することによって、折り畳みテーブル１の使用位置と折り畳み位置とを切り換えることができる。更に、基部ブラケット５の前端部及び後端部には、床面に設置されるキャスター８が取り付けられており、使用者は、折り畳みテーブル１を床面上で自在に移動させることができる。尚、特に図示しないが、折り畳みテーブル１は、折り畳み位置とすることで、複数の折り畳みテーブル１を近接させて収納できるようになっている。
【００２０】
以下、折り畳みテーブル１の使用位置と折り畳み位置との切り換えについて説明する。図４及び図８に示すように、天板支持ブラケット４は、天板支持ブラケット４の下方を閉塞する閉塞板２０を有している。この閉塞板２０の左右端部には、上方に向かって側壁２１が延設されており、縦断背面視において上向きコ字状に形成されている（図６参照）。閉塞板２０の前後端部には、上方に向かって立壁２２が延設されており、これら側壁２１と立壁２２とは上端部が、略平坦、且つ略面一となるように形成されている。これら閉塞板２０と側壁２１と立壁２２とによって、前後方向を向き、上方に開口する箱状の収容部２３が構成されている。尚、これら側壁２１と立壁２２とによって、本発明における壁部が構成されている。
【００２１】
また、収容部２３内の閉塞板２０と側壁２１と立壁２２とによって囲まれた空間は、本発明における収容空間２４を形成している。両側壁２１の前部には、側壁２１の外側方側及び内側方側と収容空間２４とを連通する操作孔２５が左右方向に貫通して穿設されている。
【００２２】
収容部２３の前端部からは、正面側に向かって前方支持部２６が延設されており、収容部２３の後端部からは、背面側に向かって後方支持部２７が延設されている。つまり収容部２３が前方支持部２６と後方支持部２７との間に配置されている。これら前方支持部２６及び後方支持部２７は、上端部が天板２の下面に当接するように平坦面に形成されており、収容部２３の上端部は、これら平坦面よりも上方位置に配置されている。
【００２３】
図７及び図８に示すように、天板２の下面には、収容部２３と略同一寸法の溝部２８が形成されており、収容部２３の側壁２１及び立壁２２の上端部が、溝部２８の上面（奥面）に当接されるまで天板２の下方から溝部２８に挿通させることで、天板支持ブラケット４の位置決めが容易になされるようになっている。このとき、収容空間２４は溝部２８と連通され、収容空間２４は折り畳みテーブル１の外部から隠蔽される。
【００２４】
更に、前方支持部２６及び後方支持部２７の上端面は、平坦面に形成されており（図４参照）、側壁２１及び立壁２２の上端部が溝部２８に挿入されると、前方支持部２６及び後方支持部２７の上端面が、天板２の下面に当接されるようになっている。前方支持部２６と後方支持部２７とが螺子等によって天板２に対して取り付けられることによって、天支持ブラケット４が天板２に対して堅牢に固着される。
【００２５】
尚、天板支持ブラケット４の側壁２１及び立壁２２の上部が溝部２８に挿通されることによって、収容空間２４を大きく形成するために、側壁２１及び立壁２２の上下寸法を大きく形成したとしても、側壁２１及び立壁２２の上部が溝部２８によって隠蔽されるため、天板支持ブラケット４の上下寸法が厚く見えないようになっている。
【００２６】
後方支持部２７の下部には、天板支持ブラケット４の下部及び後部に向かって突出する枢支部２９が形成されている。この枢支部２９の外周面は、下部から後部にかけて側面視で円弧形状をなす湾曲面として形成されている。
【００２７】
枢支部２９には、外側方に向かって開口する側面視で円形状の枢支凹部３０が形成されている。図９に示すように、後方支持部２７から収容部２３の下方にかけては、作動部３１が設けられている。この作動部３１は、その外周面が下部から後部にかけて側面視で円弧形状をなす湾曲面に形成されており、この外周面は、枢支部２９の外周面と略面一に形成されている。更に、作動部３１の前部は、収容部２３の下部に突出しており、閉塞板２０の後端部は、作動部３１の下部及び後部と略同一の曲率をなす湾曲面に形成されている。
【００２８】
作動部３１には、内側方に向かって開口する側面視で円形状の作動空間３２が形成されている。尚、作動部３１には、前後方向を向いて作動空間３２と収容空間２４との間を連通する開口部３３が開口されている。そして、この作動部３１と前述した枢支凹部３０とは、左右方向に隣り合って形成されており、互いの間に設けられた仕切壁３４によって左右方向に仕切られている。
【００２９】
図７及び図８に示すように、枢支凹部３０には、仕切壁３４の外側面から外側方に向かって円柱形状をなす枢支突部３５が形成されている。そして、枢支突部３５には、天板支持ブラケット４を左右方向に貫通する枢支孔３６が形成されている。尚、これら枢支部２９の外周面と枢支凹部３０と枢支突部３５と枢支孔３６とは、その中心軸が同一の軸心となるように配置されている。
【００３０】
仕切壁３４における枢支突部３５の下方には、収容空間２４と枢支凹部３０とを連通する長孔３７が穿設されている。この長孔３７は、仕切壁３４に枢支凹部３０の内周面に沿うように湾曲して形成されている。また、長孔３７の背面側には、当り部材３８が外側方に向かって突設されている。更に、図８に示すように、枢支凹部３０の上端部には、内周面の周方向から枢支突部３５に向けて２条の係止リブ３９が突設されている。
【００３１】
図５に示すように、操作レバー７は、使用者が把持する把持部４０と内側方に向かって延設される操作軸４１とを有している。図８及び図９に示すように、収容空間２４内の前端部には、側面視で略くの字形状に形成された揺動リンク部材４５が配置されている。操作レバー７は、操作軸４１を外側方側から操作孔２５に挿通させることで、操作軸４１によって揺動リンク部材４５の下端部を前後方向に揺動可能に枢支している。
【００３２】
尚、揺動リンク部材４５の下端部を枢支する操作軸４１は、内側方側の操作孔２５に挿通されようになっており、操作軸４１の先端部は、天板支持ブラケット４の内側方側で左右方向を向いて配置された連結軸４２に接続される。この連結軸４２は、左右の天板支持ブラケット４間に亘って天板２の下方に取り付けられており、両天板支持ブラケット４の操作軸４１に接続されることで、一方の操作レバー７の揺動操作を他方の操作レバー７に伝達させるようになっている。
【００３３】
収容空間２４内の後端部には、本発明における係合手段としての係合リンク部材４３が配置されている。この係合リンク部材４３は、後部が左右の側壁２１間に取り付けられた枢軸４４に前後方向に揺動可能に枢支されている。更に、係合リンク部材４３の下端部には、背面側に向かって係合片４３ａが延設されており、係合リンク部材４３が枢軸４４を中心に前後方向に揺動されることによって、係合片４３ａが作動空間３２と収容空間２４との間を揺動されるようになっている。
【００３４】
尚、揺動リンク部材４５の上端部には、長手が前後方向を向く連係リンク部材４６の一端が枢支されており、係合リンク部材４３の後上端部には、連係リンク部材４６の他端が枢支されている。これら揺動リンク部材４５と連係リンク部材４６により本発明における連係手段が構成されている。このため、使用者が操作レバー７を把持部４０を把持して揺動操作させることで、揺動リンク部材４５の前後方向の揺動が連係リンク部材４６によって係合リンク部材４３に伝達されるようになっている。
【００３５】
収容空間２４内の揺動リンク部材４５と係合リンク部材４３との間には、左右の側壁２１間に枢軸４７が取り付けられており、この枢軸４７には、本発明における係合付勢手段としてのコイルバネ４８の一端が取り付けられている。
【００３６】
このコイルバネ４８の他端は、係合リンク部材４３の前上端部に形成された支持孔４３ｂに取り付けられており、コイルバネ４８は、係合リンク部材４３の前上端部をコイルバネ４８の復元力によって枢軸４７に向かって付勢している。このため、係合リンク部材４３の下端部から背面側に向かって延設されている係合片４３ａは、操作レバー７が使用者によって揺動操作されない限り、常に作動空間３２内に配置されている。
【００３７】
また、図５に示すように、外側方側の側壁２１の内側面には、前後方向に上下方向を向くリブ４９が複数条（本実施例では３条）が形成されている。これら３条のリブ４９のうち正面側の２条は、閉塞板２０に延設されており、連係リンク部材４６の下方位置にて左右の側壁２１同士を連結している。
【００３８】
図３及び図６に示すように、回動支持部材５０の上端部は、枢支部２９の外周面と同一の曲率を有して上方を向く本発明における円弧形面としての凹曲面５１に形成されている。凹曲面５１の内側端部には、上方に向けて立片５２が立設されている。図６及び図７に示すように、この立片５２の上下方向略中央には、左右方向に貫通する貫通孔５３が穿設されている。立片５２の下端部には、後述する捻りコイルバネ６２を脚体３側に係止するための係止孔５４が穿設されている。
【００３９】
また、図５及び図７に示すように、立片５２の内側面には、連結杆６５が取り付けられている。この連結杆６５は、対向する脚体３の立片５２の内側面同士を接続しており、折り畳みテーブル１の強度を向上させている。
【００４０】
立片５２の外側面には、被係合部材５６が取り付けられている。この被係合部材５６には、左右方向に貫通する挿通孔５５が穿設されており、被係合部材５６は、この挿通孔５５と立片５２の貫通孔５３とが同軸線上となるように立片５２に取り付けられている。また、被係合部材５６には、立片５２の係止孔５４と連通する連通孔５７が左右方向に貫通して穿設されている。
【００４１】
図９及び図１０に示すように、被係合部材５６の前端部には、折り畳みテーブル１が使用位置であるときに係合片４３ａが係合するための前部切欠５８（被係合部）が形成されている。被係合部材５６の上端部には、折り畳みテーブル１が折り畳み位置であるときに係合片４３ａが係合するための上部切欠５９（被係合部）が形成されている。被係合部材５６の下端部には、内部に当り部材３８を配置可能な回動規制溝６０が形成されている。この回動規制溝６０は、被係合部材５６の下端部から後端部に向かって挿通孔５５を中心とした扇状に形成されている。
【００４２】
前述したように天板支持ブラケット４と脚体３とは、立片５２の外側面と作動部３１とを対向して配置させた状態で、天板支持ブラケット４の外側方側から枢支孔３６に主軸６１を挿通させるとともに、開口部３３を介して貫通孔５３に挿通させる。このとき、回動支持部材５０の凹曲面５１と作動部３１及び枢支部２９の外周面とが対向して配置され、天板支持ブラケット４は、主軸６１によって前後方向に回動可能に回動支持部材５０に枢支される。更に、回動規制溝６０内には当り部材３８が配置される。
【００４３】
そして、図８に示すように、天板支持ブラケット４が回動支持部材５０に枢支された状態において、枢支凹部３０内の枢支突部３５周りには、本発明に置ける回動付勢手段としての捻りコイルバネ６２が配置される。つまり、枢支凹部３０は、本発明における回動付勢手段配置部を構成している。
【００４４】
この捻りコイルバネ６２の一端は、長孔３７と連通孔５７介して立片５２に穿設された係止孔５４に挿通されている。捻りコイルバネ６２の他端は、枢支凹部３０内の上端部に設けられた２条の係止リブ３９間に配置されており、常に天板支持ブラケット４を折り畳みテーブル１を折り畳み位置とする方向に向けて付勢している。
【００４５】
尚、捻りコイルバネ６２と枢支凹部３０の内周面との間には、捻りコイルバネ６２と枢支凹部３０の内周面との摩擦を防止するための側面視で略Ｃ字状に形成されたスペーサ６３が挿嵌されている。このスペーサ６３は、摺動特性に優れた樹脂材により構成されており、捻りコイルバネ６２の他端の係止リブ３９間の配置を妨げないように、上向きＣ字を向いて枢支凹部３０に挿嵌されている。これら捻りコイルバネ６２とスペーサ６３が取り付けられた枢支凹部３０は、図３に示すように、外側方側からカバー部材６４を取り付けることにより外面視から隠蔽される。
【００４６】
次に、折り畳みテーブル１の使用位置と折り畳み位置との切り換えについて説明する。先ず、図９に示すように、折り畳みテーブル１が使用位置であるときには、係合リンク部材４３の係合片４３ａが前部切欠５８に係合されている。このため、捻りコイルバネ６２による付勢は規制されている。
【００４７】
この折り畳みテーブル１の天板２を使用位置から折り畳み位置に切り換えるには、先ず、使用者が操作レバー７を上方に向けて揺動操作させる。このとき、操作レバー７の揺動操作は、連結軸４２を通じて他方の操作レバー７にも伝達されるので、使用者は、左右の操作レバー７のいずれか一方のみを揺動操作するだけでよい。
【００４８】
操作レバー７に操作軸４１を介して下端部を枢支されている揺動リンク部材４５は、操作軸４１を中心に背面側に向けて揺動される。揺動リンク部材４５の背面側への揺動によって、揺動リンク部材４５の上端部に枢支されている連係リンク部材４６は背面側に向かって押圧されるため、係合リンク部材４３の上端部は、連係リンク部材４６によって背面側に向かって押圧移動される。このとき、枢支部２９及び操作部３１は、天板支持ブラケット４の下部、つまり後方支持部２７の下部から後下方に向けて突出して配置されているため、連係リンク部材４６は、枢支部２９及び操作部３１と干渉する虞が無く、背面側に向けて充分な移動範囲を有している。
【００４９】
尚、収容空間２４を形成する支持ブラケット４の側壁２１及び立壁２２の一部が、天板２の溝部２８内に挿設されていることにより、折り畳みテーブル１を外方から見たときに支持ブラケット４の上下寸法が小さく見え、かつ係合リンク部材４３などの部材が配置される収容空間２２を広く形成できる。そのため係合リンク部材４３を、前部切欠５８または上部切欠５９に確実に係脱できるように、大きく形成できるとともに、係合リンク部材４３の前後方向の揺動範囲をより大きく確保することができる。
【００５０】
そして、係合リンク部材４３の上端部は、連係リンク部材４６の背面側に向かう押圧移動によって、枢軸４４を中心に背面側に向かって揺動されるので、係合リンク部材４３の下端部に設けられている係合片４３ａは、図９中の白抜き矢印に示すように、枢軸４４を中心に正面側に向かって揺動され、前部切欠５８との係合が解除される。
【００５１】
係合片４３ａと前部切欠５８との係合が解除されることで、使用者は操作レバー７の揺動操作を保持した状態で、天板２を上面が背面側に向けて略垂直をなすように、背面側に向けて回動させることができる。このとき、天板支持ブラケット４には捻りコイルバネ６２によって折り畳みテーブル１を折り畳み位置とする方向に向けて付勢がなされているため、使用者は天板２を容易に背面側に向けて回動させることができる。
【００５２】
図１０に示すように、天板２を上面が背面側に向けて略垂直をなす状態になるまで回動させた後、使用者は操作レバー７から手を放す。このとき、係合リンク部材４３の前上端部は、コイルバネ４８によって枢軸４７に向けて付勢されているため、係合リンク部材４３は、枢軸４４を中心として枢軸４７に向けて揺動され、係合リンク部材４３の下端部に設けられた係合片４３ａは、枢軸４７を中心として作動空間３２に向けて揺動される。
【００５３】
そして、作動空間３２に向けて揺動された係合片４３ａが上部切欠５９に係合することで天板２の略垂直が維持され、折り畳みテーブル１の天板２が折り畳み位置となる。また、折り畳みテーブル１の天板２が使用位置から折り畳み位置となる過程において、当り部材３８は、回動規制溝６０内を相対移動しており、当り部材３８が回動規制溝６０の端部に当接することで、天板支持ブラケット４の前後方向の回動が規制されるようになっている。つまり、本実施例では、当り部材３８と回動規制溝６０によって天板２の使用位置と折り畳み位置とにおける傾斜が規定されている。
【００５４】
尚、折り畳みテーブル１を折り畳み位置から使用位置に切り換える場合には、使用者が操作レバー７を揺動操作させて係合片４３ａと上部切欠５９との係合を解除させた後、天板２の上面が水平となるように正面側に向けて回動させる。このとき、捻りコイルバネ６２の天板支持ブラケット４の付勢によって、天板２には回動させる側とは逆方向の付勢力が働くため、天板２が正面側に向けて急激に回動することを防止できるようになっている。
【００５５】
更に尚、前述したように構成した天板支持ブラケット４では、使用者が折り畳みテーブル１の側面視から見える枢支部２９を径方向（上下方向）に大きく形成することによって、天板支持ブラケット４の天板２と枢支部２９との間の上下寸法を薄く見せる視覚効果を得ることができる。
【００５６】
以上、本発明の実施例を図面により説明してきたが、具体的な構成はこれら実施例に限られるものではなく、本発明の要旨を逸脱しない範囲における変更や追加があっても本発明に含まれる。
【００５７】
例えば、前記実施例では、収容部２３を天板２の下方から溝部２８に挿通させており、収容部２３の内部空間、つまり収容空間２４の一部が溝部２８の内部空間と共有される構成となっているが、収容部２３を溝部２８に挿通させずに、収容部２３の上端部を天板２の下面に当接させて、溝部２８の内部空間と収容部２３の内部空間とを連通（共有）させた状態にして、係合リンク部材４３が収容される収容空間を形成するようにしてもよい。
【００５８】
また、前記実施例では、枢支凹部３０内に回動付勢手段として捻りコイルバネ６２を配置したが、回動付勢手段の構成は、天板２を折り畳み位置に向けて付勢可能であれば、例えば板バネ等であってもよい。
【００５９】
また、前記実施例では、幕板１５を上方位置と下方位置とで揺動可能として説明したが、本発明は天板２と脚体３と天板支持ブラケット４とを有し、天板２が使用位置と折り畳み位置とで回動可能であれば折り畳みテーブル１の形態はどのようなものでもよい。
【００６０】
また、前記実施例では、収容部２３の側壁２１及び立壁２２の上端部が、溝部２８の上面（奥面）に当接されるまで溝部２８に挿入させて、天板２に対する天板支持ブラケット４の位置決めを行っているが、側壁２１及び立壁２２の上端部を、前方支持部２６及び後方支持部２７の上端面と略面一に形成して、前方支持部２６及び後方支持部２７の上端部を、天板２の下面に取り付けるようにし、収容空間２４と溝部２８の内部空間とが共有されるようにしてもよい。この場合には、収容空間２４と溝部２８の内部空間とが共有されることにより、該空間内で、係合リンク部材４３を、前部切欠５８または上部切欠５９に確実に係脱できるように、大きく形成できるとともに、係合リンク部材４３の前後方向の揺動範囲をより大きく確保することができる。
【図面の簡単な説明】
【００６１】
【図１】本発明の実施例における折り畳みテーブルの全体像を示す斜視図である。
【図２】折り畳みテーブルの折り畳み位置を示す側面図である。
【図３】折り畳みテーブルの使用位置を示す側面図である。
【図４】天板支持ブラケットの内側面を示す斜視図である。
【図５】天板支持ブラケットを示す組立平面図である。
【図６】図５における折り畳みテーブルのＡ−Ａ断面図である。
【図７】図５における折り畳みテーブルのＢ−Ｂ断面図である。
【図８】図７における折り畳みテーブルのＣ−Ｃ断面図である。
【図９】図７における折り畳みテーブルのＤ−Ｄ断面図である。
【図１０】折り畳みテーブルの折り畳み位置を示すＤ−Ｄ断面図である。
【符号の説明】
【００６２】
１                折り畳みテーブル
２                天板
３                脚体
４                天板支持ブラケット（支持ブラケット）
７                操作レバー
２０              閉塞板
２１              側壁（壁部）
２２              立壁（壁部）
２４              収容空間
２８              溝部
２９              枢支部
３０              枢支凹部（回動付勢手段配置部）
３１              作動部
３３              開口部
３４              仕切壁
４２              連結軸
４３              係合リンク部材（係合手段）
４５              揺動リンク部材（連係手段）
４６              連係リンク部材（連係手段）
４８              コイルバネ（係合付勢手段）
４９              リブ
５１              凹曲面（円弧形面）
５２              立片
５６              被係合部材
５８              前部切欠（被係合部）
５９              上部切欠（被係合部）
６２              捻りコイルバネ（回動付勢手段）
６５              連結杆
【図１】
2010136995.tif 000003
【図２】
2010136995.tif 000004
【図３】
2010136995.tif 000005
【図４】
2010136995.tif 000006
【図５】
2010136995.tif 000007
【図６】
2010136995.tif 000008
【図７】
2010136995.tif 000009
【図８】
2010136995.tif 000010
【図９】
2010136995.tif 000011
【図１０】
2010136995.tif 000012